【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
複数のデータをテンプレートデータに配置したコンテンツデータを記憶する記憶手段と、当該コンテンツデータに配置されるデータを管理するデータベースとを有する情報処理装置とクライアント端末とが通信回線を介して接続される情報処理システムであって、
前記情報処理装置は、
複数のデータをテンプレートデータに配置したコンテンツデータの一覧情報の要求を前記クライアント端末から受け付ける第１の受付手段と、
前記受付手段により受け付けた前記要求に該当する前記記憶手段に記憶されたコンテンツデータに配置される複数のデータを取得する取得手段と、
前記取得手段により取得された複数のデータと、前記データベースで管理されるデータとの比較の結果、前記要求に該当する前記記憶手段に記憶されたコンテンツデータに配置する上で不備のあるデータが存在するか否かを判定する判定手段と、
前記判定手段による判定の結果、不備のあるデータが存在すると判定された場合、前記コンテンツデータに配置するデータに不備があることを識別するための識別情報を当該コンテンツデータに設定する設定手段と、
前記設定手段により識別情報が設定されたコンテンツデータが含まれる前記一覧情報を前記クライアント端末に送信する第１の送信手段とを有し、
前記クライアント端末は、
前記第１の送信手段により送信された前記識別情報が設定されたコンテンツデータが含まれる前記一覧情報を受信する第１の受信手段と、
前記第１の受信手段により受信された前記一覧情報用いて、前記識別情報が設定されたコンテンツデータを、前記識別情報が設定されていないコンテンツデータと識別可能に表示する第１の表示手段と
を有することを特徴とする情報処理システム。
【請求項２】
前記情報処理装置は、
前記識別情報が設定されたコンテンツデータの指定を前記クライアント端末から受け付ける第２の受付手段と、
前記第２の受付手段により受け付けたコンテンツデータに配置される複数のデータのうち、当該コンテンツデータに配置する上で不備のあるデータの替わりとなり代替データを前記データベースから抽出する抽出手段と、
前記抽出手段により抽出された代替データを選択可能な代替データ選択画面を前記クライアント端末に送信する第２の送信手段と、
前記第２の受付手段により受け付けたコンテンツデータに配置する上で不備のあるデータを、前記クライアント端末において選択された代替データに置き替える置替手段とを有し、
前記クライアント端末は、
前記表示手段により表示された前記識別情報が設定されたコンテンツデータの指定を前記情報処理装置に対して行う指定手段と、
前記第２の送信手段により送信された代替データ選択画面を受信する第２の受信手段と、
前記第２の受信手段により受信された前記代替データ選択画面を介して、代替データを選択する選択手段と
を有することを特徴とする請求項１に記載の情報処理システム。
【請求項３】
前記クライアント端末より出力指示を受け付ける第３の受付手段と、
前記第３の受付手段により受け付けた出力指示に従って、前記置き換え手段により代替データに置き替えられたコンテンツデータの出力情報を生成する生成手段とを有することを特徴とする請求項１又は２に記載の情報処理システム。
【請求項４】
前記判定手段は、コンテンツデータに配置されるデータのうち、取り扱っている商品に関するデータ群を保持する前記データベースに含まれる商品マスタに存在しないデータが含まれている場合、当該データを不備のあるデータとして判定することを特徴とする請求項１乃至３の何れか１項に記載の情報処理システム。
【請求項５】
前記判定手段は、コンテンツデータに配置されるデータ内の価格情報のうち、取り扱っている商品に関するデータ群を保持する前記データベースに含まれる商品マスタ内の該当するデータの価格情報と異なる価格情報が含まれている場合、当該データを不備のあるデータとして判定することを特徴とする請求項１乃至３の何れか１項に記載の情報処理システム。
【請求項６】
クライアント端末と通信回線を介して接続される、複数のデータをテンプレートデータに配置したコンテンツデータを記憶する記憶手段と、当該コンテンツデータに配置されるデータを管理するデータベースとを有する情報処理装置であって、
複数のデータをテンプレートデータに配置したコンテンツデータの一覧情報の要求を前記クライアント端末から受け付ける第１の受付手段と、
前記受付手段により受け付けた前記要求に該当する前記記憶手段に記憶されたコンテンツデータに配置される複数のデータを取得する取得手段と、
前記取得手段により取得された複数のデータと、前記データベースで管理されるデータとの比較の結果、前記要求に該当する前記記憶手段に記憶されたコンテンツデータに配置する上で不備のあるデータが存在するか否かを判定する判定手段と、
前記判定手段による判定の結果、不備のあるデータが存在すると判定された場合、前記コンテンツデータに配置するデータに不備があることを識別するための識別情報を当該コンテンツデータに設定する設定手段と、
前記設定手段により識別情報が設定されたコンテンツデータが含まれる前記一覧情報を前記クライアント端末に送信する第１の送信手段と
を有することを特徴とする情報処理装置。
【請求項７】
複数のデータをテンプレートデータに配置したコンテンツデータを記憶する記憶手段と、当該コンテンツデータに配置されるデータを管理するデータベースとを有する情報処理装置とクライアント端末とが通信回線を介して接続される情報処理システムにおける情報処理方法であって、
前記情報処理装置は、
複数のデータをテンプレートデータに配置したコンテンツデータの一覧情報の要求を前記クライアント端末から受け付ける第１の受付ステップと、
前記受付ステップにより受け付けた前記要求に該当する前記記憶手段に記憶されたコンテンツデータに配置される複数のデータを取得する取得ステップと、
前記取得ステップにより取得された複数のデータと、前記データベースで管理されるデータとの比較の結果、前記要求に該当する前記記憶手段に記憶されたコンテンツデータに配置する上で不備のあるデータが存在するか否かを判定する判定ステップと、
前記判定ステップによる判定の結果、不備のあるデータが存在すると判定された場合、前記コンテンツデータに配置するデータに不備があることを識別するための識別情報を当該コンテンツデータに設定する設定ステップと、
前記設定ステップにより識別情報が設定されたコンテンツデータが含まれる前記一覧情報を前記クライアント端末に送信する第１の送信ステップとを有し、
前記クライアント端末は、
前記第１の送信ステップにより送信された前記識別情報が設定されたコンテンツデータが含まれる前記一覧情報を受信する第１の受信ステップと、
前記第１の受信ステップにより受信された前記一覧情報用いて、前記識別情報が設定されたコンテンツデータを、前記識別情報が設定されていないコンテンツデータと識別可能に表示する第１の表示ステップと
を有することを特徴とする情報処理方法。
【請求項８】
複数のデータをテンプレートデータに配置したコンテンツデータを記憶する記憶手段と、当該コンテンツデータに配置されるデータを管理するデータベースとを有する情報処理装置とクライアント端末とが通信回線を介して接続される情報処理システムにおいて実行可能なプログラムであって、
前記情報処理装置を、
複数のデータをテンプレートデータに配置したコンテンツデータの一覧情報の要求を前記クライアント端末から受け付ける第１の受付手段、
前記受付手段により受け付けた前記要求に該当する前記記憶手段に記憶されたコンテンツデータに配置される複数のデータを取得する取得手段、
前記取得手段により取得された複数のデータと、前記データベースで管理されるデータとの比較の結果、前記要求に該当する前記記憶手段に記憶されたコンテンツデータに配置する上で不備のあるデータが存在するか否かを判定する判定手段、
前記判定手段による判定の結果、不備のあるデータが存在すると判定された場合、前記コンテンツデータに配置するデータに不備があることを識別するための識別情報を当該コンテンツデータに設定する設定手段、
前記設定手段により識別情報が設定されたコンテンツデータが含まれる前記一覧情報を前記クライアント端末に送信する第１の送信手段
として機能させ、
前記クライアント端末を、
前記第１の送信手段により送信された前記識別情報が設定されたコンテンツデータが含まれる前記一覧情報を受信する第１の受信手段、
前記第１の受信手段により受信された前記一覧情報用いて、前記識別情報が設定されたコンテンツデータを、前記識別情報が設定されていないコンテンツデータと識別可能に表示する第１の表示手段
として前記情報処理システムを機能させることを特徴とするプログラム。
【請求項９】
クライアント端末と通信回線を介して接続される、複数のデータをテンプレートデータに配置したコンテンツデータを記憶する記憶手段と、当該コンテンツデータに配置されるデータを管理するデータベースとを有する情報処理装置において実行可能なプログラムであって、
複数のデータをテンプレートデータに配置したコンテンツデータの一覧情報の要求を前記クライアント端末から受け付ける第１の受付手段、
前記受付手段により受け付けた前記要求に該当する前記記憶手段に記憶されたコンテンツデータに配置される複数のデータを取得する取得手段、
前記取得手段により取得された複数のデータと、前記データベースで管理されるデータとの比較の結果、前記要求に該当する前記記憶手段に記憶されたコンテンツデータに配置する上で不備のあるデータが存在するか否かを判定する判定手段、
前記判定手段による判定の結果、不備のあるデータが存在すると判定された場合、前記コンテンツデータに配置するデータに不備があることを識別するための識別情報を当該コンテンツデータに設定する設定手段、
前記設定手段により識別情報が設定されたコンテンツデータが含まれる前記一覧情報を前記クライアント端末に送信する第１の送信手段
として機能させることを特徴とするプログラム。
【手続補正２】
【補正対象書類名】明細書
【補正対象項目名】発明の名称
【補正方法】変更
【補正の内容】
【発明の名称】情報処理システム、情報処理装置、情報処理方法及びプログラム
【手続補正３】
【補正対象書類名】明細書
【補正対象項目名】０００９
【補正方法】変更
【補正の内容】
【０００９】
本発明は、複数のデータをテンプレートデータに配置したコンテンツデータを記憶する記憶手段と、当該コンテンツデータに配置されるデータを管理するデータベースとを有する情報処理装置とクライアント端末とが通信回線を介して接続される情報処理システムであって、前記情報処理装置は、複数のデータをテンプレートデータに配置したコンテンツデータの一覧情報の要求を前記クライアント端末から受け付ける第１の受付手段と、前記受付手段により受け付けた前記要求に該当する前記記憶手段に記憶されたコンテンツデータに配置される複数のデータを取得する取得手段と、前記取得手段により取得された複数のデータと、前記データベースで管理されるデータとの比較の結果、前記要求に該当する前記記憶手段に記憶されたコンテンツデータに配置する上で不備のあるデータが存在するか否かを判定する判定手段と、前記判定手段による判定の結果、不備のあるデータが存在すると判定された場合、前記コンテンツデータに配置するデータに不備があることを識別するための識別情報を当該コンテンツデータに設定する設定手段と、前記設定手段により識別情報が設定されたコンテンツデータが含まれる前記一覧情報を前記クライアント端末に送信する第１の送信手段とを有し、前記クライアント端末は、前記第１の送信手段により送信された前記識別情報が設定されたコンテンツデータが含まれる前記一覧情報を受信する第１の受信手段と、前記第１の受信手段により受信された前記一覧情報用いて、前記識別情報が設定されたコンテンツデータを、前記識別情報が設定されていないコンテンツデータと識別可能に表示する第１の表示手段とを有することを特徴とする。